(57)【要約】【課題】不正行為の更なる防止と放熱効果を一層高められるようにした技術を提供すること。【解決手段】パチンコ遊技機の遊技動作を制御する主制御基板４４を収納する基板収納ケース４６には、主制御基板４４に配設された部品から発生した熱をケース外部に放熱する架台５８が設けられ、架台５８は基板収納ケース４６の一部としてケース内空間部Ｓに突出する突出部であり、そこに主制御基板４４を当接させる。【選択図】　図４
2004000802.tif 000002
【特許請求の範囲】
【請求項１】
　遊技機の遊技動作を制御する遊技制御基板を収納する基板収納ケースにおいて、
　この基板収納ケースには、当該基板収納ケース内に収納された遊技制御基板に配設された部品から発生した熱をケース外部に放熱する放熱部が設けられ、
　この放熱部は基板収納ケースの一部としてケース内空間部に突出する突出部であり、この突出部に前記制御基板を当接させることを特徴とする遊技機の基板収納ケース。
【請求項２】
　前記突出部を含む基板収納ケースは射出成形によって形成されることを特徴とする請求項１に記載の遊技機の基板収納ケース。
【請求項３】
　前記基板収納ケースはインサート成形によって埋設されたインサートを前記突出部としていることを特徴とする請求項１に記載の遊技機の基板収納ケース。
【請求項４】
　前記突出部は制御基板を支持する架台として機能することを特徴とする請求項２または３に記載の遊技機の基板収納ケース。
【請求項５】
　前記架台は、少なくともその一端側が外気に臨む中空体であることを特徴とする請求項４に記載の遊技機の基板収納ケース。
【請求項６】
　前記インサートは金属材であることを特徴とする請求項３または４に記載の遊技機の基板収納ケース。
【請求項７】
　前記金属材はアルミであることを特徴とする請求項６に記載の遊技機の基板収納ケース。
【請求項８】
　前記架台の中空部分における内表面には、きざみまたは切り溝が形成されていることを特徴とする請求項４〜７のいずれかに記載の遊技機の基板収納ケース。
【請求項９】
　前記きざみは、架台の軸方向に対して、平行にまたは斜めに形成されていることを特徴とする請求項８に記載の遊技機の基板収納ケース。
【請求項１０】
　前記切り溝は、螺旋状に形成されていることを特徴とする請求項８に記載の遊技機の基板収納ケース。
【請求項１１】
　前記きざみおよび切り溝は、前記架台の外表面に形成されていることを特徴とする請求項８〜１０のいずれかに記載の遊技機の基板収納ケース。
【請求項１２】
　遊技機の遊技動作を制御する遊技制御基板を収納するとともに、上ケースと下ケースとからなる上下２分割構造を呈する基板収納ケースであって、前記上ケースと下ケースとの境界部の少なくとも一部には、ケース周縁方向に延びるスリット部が形成され、このスリット部に横断面Ｈ型の放熱用部材を取り付けた遊技機の基板収納ケース。
【請求項１３】
　前記横断面Ｈ型の放熱用部材のウェブ部分を前記スリット部に介在させて前記上・下ケースで前記放熱用部材を挟持することを特徴とする請求項１２に記載の遊技機の基板収納ケース。
【請求項１４】
　前記放熱用部材と、前記遊技制御基板とは分離されていることを特徴とする請求項１３に記載の遊技機の基板収納ケース。
【請求項１５】
　前記上・下ケースは透明材料からなることを特徴とする請求項１〜１４のいずれかに記載の遊技機の基板収納ケース。
【発明の詳細な説明】
【技術分野】
【０００１】
　本発明は遊技機の基板収納ケースに関する。
【背景技術】
【０００２】
　一般に、ホール（遊技場）等に設置されている遊技機は、遊技機前面に遊技を行う遊技盤を有し、遊技機の背面に遊技機の制御を行う遊技制御回路を有している。このような遊技機としてパチンコ機やスロットマシン等が挙げられるが、本明細書中においては、便宜上、遊技機をパチンコ機として説明する。
【０００３】
　前記遊技制御回路は、周知のごとく遊技機の主たる遊技動作を制御する遊技制御基板としての主制御基板（以下「主基板」という場合がある）と、この主制御基板に対して従的な関係にあるサブ基板と、に設けられる。
【０００４】
　これら主基板やサブ基板には、それぞれ中央演算装置であるＣＰＵや書き込み記憶素子であるランダムアクセスメモリ（ＲＡＭ）や読み出し専用記憶装置であるリードオンリメモリ（ＲＯＭ）が備えられ、ＲＡＭとＲＯＭはＣＰＵの命令で作動する。
【０００５】
　主基板ではそのＲＡＭにより主として大当たり乱数等の各種乱数値を記入したり、ＲＯＭによる乱数決定用のプログラムその他の各種プログラムを記憶したりする。
　そして主基板においては、各種データの設定処理や、乱数更新管理処理，各種図柄管理処理，ランプ管理処理，賞球払出し管理処理，コマンド送信管理処理その他遊技機を作動する上での各種処理を行う。
【０００６】
　また、前記サブ基板には、図柄制御を行う図柄制御基板，盤面ランプや枠ランプを点灯させたり、点滅させたりするランプ制御基板，スピーカから出る各種音声を制御する音声信号制御基板，プリペイドカードユニットや貸し玉の払出し装置を制御する払出し制御基板その他の各種制御基板があり、これらサブ基板は、通常、主基板からの各種コマンド信号を受けることで機能する。
【０００７】
　よって主基板は遊技実行上極めて重要な部分である。
　したがって、この主基板の正規プログラムが第３者によって改竄されて所謂裏基板とされてしまうと、不正に大当たりが引き当てられてしまう虞がある。よって、これを防止するために、これら制御基板、殊には大当たり乱数を判定するプログラムを備えた主基板はケース体で覆われている。
【特許文献１】特開２０００−３０８７４３号公報
【特許文献２】特開２０００−１４０３５２号公報
【特許文献３】特開平１０−１７９８８４号公報
【特許文献４】特開平９−２６６９７３号公報
【特許文献５】特開平１０−２２５５６０号公報
【特許文献６】特開２０００−１４０３３６号公報
【特許文献７】特開平１０−５７５７７号公報
【特許文献８】特開２０００−３５０８４５号公報
【特許文献９】特開平１１−３３１９４号公報
【発明の開示】
【発明が解決しようとする課題】
【０００８】
　一方、主基板に配設される部品には発熱するものが多く含まれている。このため、主基
板を覆ったケース体内が高温になる傾向にある。そこでこれを防止するためにケース体には、通常、放熱穴が設けられている。
【０００９】
　ところでこの放熱穴は、セキュリティ上の観点から微細穴とされているが、それでもケース内部の基板に通じている関係上、この穴を介してＩＣクリップや針金等を利用して不正がなされてしまう虞がある。
【００１０】
　そこで、このような不正を防止する技術として、例えば、特開平１０−１７９８８４号公報では、放出穴を無くした技術が開示されている。
　この技術は、主基板に放熱部材を接触状態で取り付けかつ放熱部材の一部をケース外部に露出させることでケース内の熱を外部に放出させるというものである。
【００１１】
　また放熱部材がケース外部に露出できるように、ケースはその一部が切り欠かれている。よって主基板をケースで覆った場合において、ケースの切り欠き部分と放熱部材との間には多少なりともすき間ができる。このため、当該すき間を介して前記不正行為が為される虞を否定できない。
【００１２】
　本発明は上述した従来の問題点を解決するためになされたもので、その解決しようとする課題は、不正行為の更なる防止と放熱効果を一層高められるようにした技術を提供することにある。
【課題を解決するための手段】
【００１３】
　上記課題を達成するために本発明遊技機の収納ケースは、次の手段を採用した。
　すなわち本発明遊技機の基板収納ケースは、遊技機の遊技動作を制御する遊技制御基板を収納する基板収納ケースにおいて、この基板収納ケースには、当該基板収納ケース内に収納された遊技制御基板に配設された部品から発生した熱をケース外部に放熱する放熱部が設けられ、この放熱部は基板収納ケースの一部としてケース内空間部に突出する突出部であり、この突出部に前記制御基板を当接させることを特徴とする。
【００１４】
　本発明遊技機の基板収納ケースでは、制御基板に配設される発熱部品から発生した熱をケース外部に放熱する放熱部がケース内空間部に突出する突出部として具備され、この突出部に制御基板を当接させるので、制御基板に配設された部品の発熱によってケース内温度、殊には発熱部品が載置されている制御基板の温度が高まっても、ケース内の熱は、制御基板と突出部とを経由してケース外部に放出されるようになる。このためケースにすき間や放熱穴を形成しなくてもケース内の温度を下げられる。また、放熱部である突出部はケース内空間部に突出するがケース外部には突出しないので、基板収納ケースの遊技機への取り付けにあたり放熱部が作業の邪魔になるようなこともない。
【００１５】
　前記突出部を含む基板収納ケースは射出成形によって形成してもよくまた、インサート成形によって埋設されたインサートを前記突出部としてもよい。
　前記突出部は制御基板を支持する架台として機能することが好ましい。
【００１６】
　前記架台は、少なくともその一端側が外気に臨む中空体であると好適である。
　前記インサートは金属材であることが望ましく、例えば熱伝導率の比較的高いアルミが好適である。
【００１７】
　前記架台の中空部分における内表面には、きざみまたは切り溝が形成されていることを特徴としてもよい。
　前記きざみは、架台の軸方向に対して、平行にまたは斜めに形成してもよい。
【００１８】
　前記きざみおよび切り溝は、前記架台の外表面に形成してもよい。
　遊技機の遊技動作を制御する遊技制御基板を収納するとともに、上ケースと下ケースとからなる上下２分割構造を呈する基板収納ケースであって、前記上ケースと下ケースとの境界部の少なくとも一部には、ケース周縁方向に延びるスリット部を形成し、このスリット部に横断面Ｈ型の放熱用部材を取り付けることも考えられる。
【００１９】
　この場合、前記横断面Ｈ型の放熱用部材のウェブ部分を前記スリット部に介在させて前記上・下ケースで前記放熱用部材を挟持することが好ましい。
　しかして、本発明遊技機の基板収納ケースは、Ｈ型放熱用部材のウェブ部分が前記スリット部に挟持された状態にあるので、Ｈ型放熱用部材のうち前記ウェブ部分を介在させて並列されている壁面と基板収納ケースの壁面とがケースの外部と内部との両方においてほぼ並列状態になる。この状態を放熱用部材の横断面で視認すると、Ｈ型放熱用部材の壁面同士の間にできる溝の横断面がコップ形状を呈し、基板収納ケースの壁面は、その横断面が棒体形状を呈するように視認できる。このため、両者を併せた横断面の形状は、前記コップ形状溝部内にその開口側から棒体を挿入したごとき形態として視認できる。よって、Ｈ型放熱用部材の両壁面と基板収納ケースの側壁との間には、（１）前記コップ形状の溝部における開口形状側から底部形状側に向かうすき間と、（２）底部形状側での前記棒体との間のすき間と、（３）前記コップ形状の溝部の底部形状側から開口形状側に向かうすき間とからなる、一連のかつ途中に屈曲部を有するすき間が形成されるようになる。
【００２０】
　ただし、このすき間は、中心線が同一軸線上にある単純な一本通しの穴と違い、途中に前記屈曲部を有するすき間である。よって、当該すき間に外部からＩＣクリップや針金等不正に異物を挿入してもそれら異物が前記すき間の屈曲部に当たってしまうため、当該すき間を経由した、異物のそれ以上の挿入は困難になる。
【００２１】
　また、当該屈曲部を有する一連のすき間は、Ｈ型放熱用部材を基板収納ケースのスリットの部分で嵌合することにより形成されるものである。よって、すき間が小さくなるようにＨ型放熱用部材の両壁面間の寸法や基板収納ケースの側壁の肉厚寸法の設定によりすき間を小さくする程ＩＣクリップや針金等の異物の挿入を難しくできるので好適であるが、そうするとＨ型放熱用部材を基板収納ケースのスリット部にはめ込むのが困難になる。そこで、Ｈ型放熱用部材を基板収納ケースのスリット部にはめ込むのにすき間を大きくした状態でのすきま嵌めを設定しても、前記一連のすき間は屈曲しているので、ＩＣクリップや針金等の異物の挿入は依然困難を伴う。よってすきま嵌め状態にしても不正行為の防止には有効である。
【００２２】
　前記放熱用部材と、前記遊技制御基板とは分離されていることが望ましい。
　両者が一体の場合、放熱用部材の重量が遊技制御基板に掛かる。よって遊技制御基板における放熱用部材の取付け箇所によっては遊技制御基板に集中応力が生じる虞がある。しかしながら、放熱用部材と、前記遊技制御基板とが分離されて、両者が別体であれば、放熱用部材を遊技制御基板に組み付けることに起因した集中応力が生じる虞はない。
【００２３】
　前記上・下ケースは透明材料からなると好適である。
　この場合、不正行為としてＩＣクリップや針金等の異物が挿入されると、そのときに上・下ケースにできる傷の発見がケース外部からでも簡単に視認できる。
【００２４】
　したがって、不正行為がなされたと判明した場合にはその対策を早急に行うことができる。
【発明の効果】
【００２５】
　本発明は、不正行為の更なる防止と放熱効果を一層高められる。
【発明を実施するための最良の形態】
【００２６】
　以下、本発明遊技機の基板収納ケースが適用された遊技機の具体的な実施形態について添付した図面に基づいて説明する。
（実施例）
　まず、本発明遊技機の基板収納ケースが適用される遊技機をパチンコ遊技機としてその概要について説明し、順次本発明遊技機の基板収納ケースについての説明をする。
【００２７】
　ただし、基板収納ケースを有する遊技機であればパチンコ遊技機に限定されないのはもちろんであり、スロットマシンその他の遊技機であってもよい。
　図１は、パチンコ遊技機Ｉをその正面側から見た斜視図であり、図２はその裏面側から見た斜視図である。
【００２８】
　この実施形態で示すパチンコ遊技機Ｉは、プリペイドカードシステムに対応しており、隣接してプリペイドカードユニットＩＩが備えられている。
　プリペイドカードユニットＩＩは、その内部にカードリーダ２９を備えており、遊技者は遊技の実行前に購入しておいたプリペイドカード３５をこのカードリーダ２９の読取口３３に挿入し、パチンコ遊技の実行準備に入る。
【００２９】
　また、遊技盤１の表面には、発射装置である操作用ハンドル２８の操作によって発射された球を遊技盤１に誘導するための図示しない誘導レールがほぼ円状に植立され、誘導レールで画成された領域が遊技領域３を構成する。
【００３０】
　遊技領域３のほぼ中央部には、数字，記号，模様などの識別情報（以下、「図柄」という。）を可変表示する可変表示装置３０が配置されている（図１参照）。
　可変表示装置３０は、その左側，中央および右側においてそれぞれ符合３２ａ，３２ｂおよび３２ｃで示す数種類の図柄を可変表示するとともに、変動している図柄を停止させ、停止した時の図柄が予め定められていた図柄と一致して揃った場合には、大当たり等の所定の遊技状態となることを表示する図柄表示装置３２を有する。図柄表示装置３２には例えば液晶表示装置が適用される。
【００３１】
　図柄表示装置３２で表示される図柄は、周知のごとく、始動入賞口に球が入賞することをトリガとして変動を開始する。始動入賞口を符合７０で示す。
　可変表示装置３０の周囲には保留玉数を遊技者に報知する飾りＬＥＤや盤面ランプ，枠ランプその他各種の電飾８０やスピーカ４２が配設されている。
【００３２】
　また、遊技領域３の下方部には、大当たりした時にのみ一定期間開放する大入賞口（以降「アタッカー」と称する）９０が配設されている。
　しかして、球が始動入賞口７０に入賞すると、可変表示装置３０の図柄表示装置３２に表示される各種図柄が変動を開始する。そして、変動開始後一定時間が経過すると、左・中・右の順で図柄３２ａ，３２ｂおよび３２ｃが変動を中止して図柄が確定し、当該確定された図柄の組合せが所定の表示態様となることで特定遊技状態（大当たり遊技状態ともいう）となりアタッカー９０が前記のごとく一定期間開放されて、遊技盤１の表面を落下する球のうちアタッカー９０に流れてくる球が受け止められる。
【００３３】
　そして、アタッカー９０内部には図示しない特定領域が設けられており、この特定領域に球が入賞することでアタッカー９０が再度開放する。当該開放は前記特定領域に球が入賞する毎に継続権が成立し、予め定められていた所定ラウンドをこなす。
【００３４】
　なお、本実施形態のパチンコ遊技機Ｉには、上記した構成以外に、バック玉防止部材，
アウト口その他周知のパチンコ遊技機構成部材が設置されている。 また符号３６で示すものは、図示しない貸し玉の払出し装置を制御する貸出しボタンであり、符号３８で示すものはプリペイドカードの返却ボタンである。
【００３５】
　しかして、前記のごとく球が始動入賞口７０に入賞した場合において、その球が大当たりを引き当てたか否かの判定は、パチンコ遊技機Ｉに設けられた大当たり判定システムによって実行される。
【００３６】
　大当たり判定システムは、始動入賞口７０に球が入賞したことをトリガとして乱数を引き当てるシステムである。すなわち、大当たり判定システムは、引き当てた乱数が予め定められていた大当たりの数値と同じ数値であれば大当たりするというシステムであり、当該システムの実行は、パチンコ遊技機Ｉの主たる遊技制御基板である主制御基板のＲＯＭに記憶されているプログラムによってなされる。
【００３７】
　主基板は、各種データの設定処理や、乱数更新管理処理，図柄管理処理，ランプ管理処理，コマンド送信管理処理その他パチンコ機を作動する上での主たる処理を行う。
　また、主基板に対して従的な関係にあるサブ基板がある。
【００３８】
　サブ基板には、各種図柄の制御を行う図柄制御基板，前記盤面ランプや枠ランプ等の電飾８０を点灯させたり、点滅させたりするランプ制御基板，スピーカ４２から出る各種音声を制御する音声信号制御基板，プリペイドカードユニットＩＩや前記貸し玉の払出し装置を制御する払出し制御基板その他の各種制御基板があり、これらサブ基板はすべて主基板のＣＰＵから各種コマンド信号を受けることで作動する。
【００３９】
　主基板および各種サブ基板はパチンコ遊技機Ｉの裏面側に取り付けられ、主基板の近傍に前記各種サブ基板が備えられている。
　前記のごとく主基板は、パチンコ遊技機Ｉの大当たり判定を実行する重要部分である。よって、主基板が第３者によって改竄され裏基板とされてしまうと、不正に大当たりを引き当てられてしまう虞がある。よってこれを防止するために、主基板は図３および図４に示すような基板収納ケース４６で覆われている。なお図４において符合４４で示すものが主基板である。
【００４０】
　基板収納ケース４６は、基板収納ケース上部（上ケース）４８と基板収納ケース下部（下ケース）５０とからなる上下２分割構造の矩形状を呈するケース体である。
　また基板収納ケース４６は、例えば透明プラスチック等の透明材料が用いられる。また、基板収納ケース４６は、例えば射出成形によって形成される。
【００４１】
　基板収納ケース上部４８の側壁４７と、基板収納ケース下部５０の側壁５１と、の境界部の少なくとも一部には、ケース周縁方向に延びるスリット部５２が形成されている。
　図３および図４に示すように、横断面でほぼＨ型を呈する放熱用部材（以下「Ｈ型放熱用部材」という）５４の横断面矩形のウェブ部分５６をスリット部５２に介在することで、基板収納ケース上部４８および基板収納ケース下部５０でＨ型放熱用部材５４を挟持するようになっている。Ｈ型放熱用部材５４は、主基板４４に配設される図示しない発熱部品から発生した熱を基板収納ケース４６の外部に放熱する放熱部として機能する。
【００４２】
　またＨ型放熱用部材５４のうちウェブ部分５６の両側に並列された壁板をそれぞれ符合５５ｏと５５ｉで示す。
　壁板５５ｏは、基板収納ケース４６の外部に位置するので、以降外壁板と呼称し、壁板５５ｉは基板収納ケース４６の内部に位置するので、以降内壁板と呼称する。
【００４３】
　両壁板５５ｏおよび５５ｉの各横断面は扁平な変形八角形を呈している。
　よって、Ｈ型放熱用部材５４は、そのウェブ部分５６を境にその上部および下部にそれぞれ上方側および下方側に開放された横断面末広がりのコップ状の溝部６１ｕ，６１ｄが画成されるようになる。
【００４４】
　Ｈ型放熱用部材５４をスリット部５２に介在すると、基板収納ケース４６の側壁４７および側壁５１がそれぞれ溝部６１ｕおよび６１ｄに挿入された状態になる。そして溝部６１ｕでは、外壁板５５ｏと側壁４７との間、側壁４７の先端とウェブ部分５６の上面との間および内壁板５５ｉと側壁４７との間に一連の通路状のすき間６５ｕが形成される。またすき間６５ｕは、その途中に屈曲部６３ｕ，６３ｕを有する。
【００４５】
　同様に溝部６１ｄでは、外壁板５５ｏと側壁５１との間、側壁５１の先端とウェブ部分５６の下面との間および内壁板５５ｉと側壁４７との間にやはり一連の通路状のすき間６５ｄが形成される。またすき間６５ｄは、その途中に屈曲部６３ｄ，６３ｄを有する。
【００４６】
　なお、実際には、ウェブ部分５６が側壁５１の先端に載置されるようになるので、側壁５１の先端とウェブ部分５６の下面との間にはすき間はでき難い。
　また、図４において、基板収納ケース下部５０のうち側壁５１が周縁から立ち上げ状に突出している主壁部５３の適所には主制御基板４４を支持する中空円筒形の架台５８が基板収納ケース４６の一部としてケース内空間部Ｓ内に突出状態で複数設けられている（図面では一つのみ示す）。よって、架台５８は突出部ということができる。
【００４７】
　架台５８に対する主基板４４の取付けは、基板収納ケース４６に設けられた取付け穴６６に架台５８の頂面から上方に突起する突起部６７にしまり嵌め状に嵌合することで行う。これにより、架台５８に主基板４４が当接状態で取り付けられるようになる。
【００４８】
　また架台５８は放熱用部材５４と同様に放熱部としても機能する。そのため架台５８には、少なくともその一端側である反突起部６７側が外気に臨む一端開口の中空６２を有する。
【００４９】
　さらに図５から図１０に示すように、架台５８を含む基板収納ケース４６をインサート成形によって形成してもよい。インサート成形の場合、金属材をインサートとし、この金属材が架台５８となるように形成する。なお、金属材としては、熱伝導率の高い、例えばアルミが好適である。
【００５０】
　図５はインサート成形によって形成された架台を示す図４に相当する断面図である。図５の架台を符合５８Ａで示す。架台５８Ａを架台５８の第１の変形例として示す。
　図５に示す架台５８Ａにあっては、インサートが金属製とされ、かつ両端が開口された筒状形態を呈している。
【００５１】
　そして、図５の架台５８Ａが図４の架台５８と相違する箇所は、架台５８Ａには架台５８に具備されていた突起６７の代わりにネジ部材５７によって主基板４４を架台５８Ａに固定するようにしている点、およびその中空６２内に前記ネジ部材５７と螺合関係にある切り溝としての雌ねじ５９を切った（架台５８Ａの中空６２の表面を螺旋状に形成した）点にある。
【００５２】
　よって図５に示すこの第１の変形例にあっては、架台５８Ａの頂面に主基板４４を載置したのち、ネジ部材５７を架台５８Ａの雌ねじ５９に螺合することにより、主基板４４を基板収納ケース４６の基板収納ケース下部５０に固定する。
【００５３】
　次に図６〜図９を参照して架台の第２の変形例を符合５８Ｂを用いて示す。　図６は、架台５８Ｂの正面図であり、図７は同縦断面図であり、図８は同平面図であり、図９は同横断面図である。
【００５４】
　この第２の変形例に係る架台５８Ｂが第１の変形例に係る架台５８Ａと相違する点は、架台５８Ａの雌ねじ５９の代わりに架台５８Ｂの中空内にきざみ７５を周知のローレットにより形成した点および架台５８Ｂの頂面にのみネジ部材５７と螺合する雌ねじ５９Ｂを形成した点にある。
【００５５】
　しかして、上記した各種架台は、その形成材料の種類に拘わらず、中空６２の内表面にきざみ７５または切り溝である雌ねじ５９を形成することで放熱効果が一層高まる。またきざみ７５は架台の軸方向に平行に形成しても軸方向に対して斜めに形成してもよい。
【００５６】
　次に、図１０の斜視図を参照して、架台の第３の変形例を符合５８Ｃを用いて示す。
　この第３の変形例に係る架台５８Ｃが第２の変形例に係る架台５８Ｂと相違する点は、架台５８Ｃの外表面にきざみ７５を形成した点および架台５８Ｃの中空内に雌ねじ５９Ｂを形成した点にある。
【００５７】
　なお、前記きざみの代わりに切り溝を前記架台５８の外表面に形成してもよい。また、架台５８Ｃの中空部分と外表面の両方にきざみまたは／および切り溝を形成してもよい。
　加えて架台５８Ｃで主基板４４を支持した時に前記Ｈ型放熱用部材５４と前記主基板４４とが接触しないように、すなわち両者が分離されるように架台５８の形成位置や寸法が設定されている。
【００５８】
　次にパチンコ遊技機Ｉに適用されたこのような構成の基板収納ケース４６の作用効果について述べる。
　パチンコ遊技機Ｉにおいてその裏側に設置されている基板収納ケース４６では、主基板４４に配設された発熱部品から発生した熱をケース４６の外部に放熱する放熱部である、Ｈ型放熱用部材５４および架台５８が具備されており、それぞれ次のような作用効果を奏する。
【００５９】
　（１）Ｈ型放熱用部材５４
　Ｈ型放熱用部材５４は、そのウェブ部分５６が基板収納ケース４６のスリット部５２において基板収納ケース上部４８と基板収納ケース下部５０とによって挟持された状態で基板収納ケース４６に取着されるので、Ｈ型放熱用部材５４の外壁板５５ｏおよび内壁板５５ｉが、基板収納ケース４６の側壁４７および５１に対してそれぞれ基板収納ケース４６の外部および内部においてほぼ並列状態になる。
【００６０】
　換言すれば、横断面でコップ形状の溝部６１ｕ，６１ｄ内にその開口側からＬ字形の棒体を挿入したごとき形態として視認できる。すなわち、Ｈ型放熱用部材５４の両壁板５５ｏ，５５ｉと基板収納ケース４６の側壁４７とによって画成される一連のすき間６５ｕ、およびＨ型放熱用部材５４の両壁板５５ｏ，５５ｉと基板収納ケース４６の側壁５１とによって画成される一連のすき間６５ｄが視認できる。ただし、すき間６５ｕおよび６５ｄは、中心線が同一軸線上にある単純な一本通しの穴と違い、それぞれ屈曲部６３ｕ，６３ｕおよび６３ｄ，６３ｄを有するので、これらのすき間６５ｕ，６５ｄに外部からＩＣクリップや針金等不正の異物を挿入しても、これらの異物が前記屈曲部６３ｕ，６３ｕおよび６３ｄ，６３ｄに当たってしまう。よって、当該すき間６５ｕおよび６５ｄを経由して基板収納ケース４６内に異物を挿入することが困難になる。
【００６１】
　また、前記一連のすき間６５ｕおよび６５ｄは、Ｈ型放熱用部材５４を基板収納ケース
４６のスリット部５２で嵌合することにより形成されるものである。よって、すき間６５ｕおよび６５ｄが小さいほどＩＣクリップや針金等の異物の挿入を難しくできるので好適ではあるが、その場合は、Ｈ型放熱用部材５４を基板収納ケース４６のスリット部５２にはめ込むのが困難になる。
【００６２】
　そこで、Ｈ型放熱用部材５４を基板収納ケース４６のスリット部５２にはめ込むにあたりすき間を大きくした状態でのすきま嵌めを設定することが考えられるが、すき間６５ｕおよび６５ｄは屈曲部６３ｕ，６３ｕおよび６３ｄ，６３ｄを有するので、ＩＣクリップや針金等の異物の挿入は依然困難である。よって不正行為の防止にすき間の大きさを厳格にする必要がなくなり、それだけ設計の自由度が高められる。
【００６３】
　基板収納ケース４６は透明材料からなるので、不正行為としてＩＣクリップや針金等の異物が挿入されると、そのときに基板収納ケース４６にできるすり傷等、外傷の発見が基板収納ケース４６の外部からでも簡単に視認できる。
【００６４】
　したがって、不正行為がなされたと判明した場合にはその対策を早急に行うことができる。
　また、Ｈ型放熱用部材５４と主基板４４とは分離されているので、Ｈ型放熱用部材５４を主基板４４に組み付けることに起因した集中応力が生じる虞がない。また、両部材が分離されているので、一つ一つの部材が軽量化がするため組み付けが容易となる。
【００６５】
　（２）架台５８
　基板収納ケース４６のうち基板収納ケース下部５０には、基板収納ケース４６のケース内空間部Ｓに向けて突出する突出部として複数の架台５８が具備され、これらの架台５８には主基板４４が当接状態に載置されている。よって、主基板４４に配設された図示しない部品の発熱によってケース内温度が高まっても、ケース内の熱は、主基板４４と架台５８とを経由してケース外部に放出されるようになる。このため基板収納ケース４６にすき間や放熱穴を形成しなくても基板収納ケース４６内の温度を下げることができる。
【００６６】
　前記架台５８は、架台５８を含む基板収納ケース下部５０を射出成形によって形成してもまた、インサート成形によって埋設されたインサートを前記架台５８となるように形成してもよいので、それだけ設計の自由度が高まる。
【００６７】
　インサート成形で架台５８を形成した場合には金属材が適用されることが望ましく、例えば熱伝導率の比較的高いアルミを用いるのが好ましい。
　また、架台５８はその一端側が外気に臨む中空体であるので、さらに熱伝達率が高まるようにできる。
【００６８】
　さらに架台５８の中空部分における内表面にきざみや切り溝を形成することでそれだけ外気と接触する面積が増大するので、一層熱伝達率が高まるようにできる。
　なお、前記きざみおよび切り溝は、前記架台５８の外表面に形成してもよく、また、架台５８の中空部分と外表面の両方にきざみおよび切り溝を形成してもよいので、この場合、さらに一層熱伝達率が高まる。
【００６９】
　また、架台５８の大きさおよびそれに伴う中空部分，きざみ，切り溝等の大きさを基板収納ケース４６の大きさに応じて設定することで、基板収納ケース４６の外部に放出される熱量を増大することが可能である。よって、主基板４４に搭載する発熱部品から発する熱量によっては、Ｈ型放熱用部材５４を不要にすることも可能である。この場合、基板収納ケース４６には、一切のすき間が無くなるのでセキュリティの面で極めて有効であり、不正行為の更なる防止ができる。また、放熱部としては架台５８だけとなるが架台５８は
基板収納ケース４６のケース内空間部Ｓには突出するが基板収納ケース４６の外部には突出しないので、基板収納ケース４６のパチンコ遊技機Ｉへの取り付けにあたり放熱部が作業の邪魔になるようなこともない。
【図面の簡単な説明】
【００７０】
【図１】本発明遊技機の基板収納ケースを適用したパチンコ遊技機を正面側から見た斜視図である。
【図２】図１を背面側から見た斜視図である。
【図３】本発明遊技機の基板収納ケースの斜視図である。
【図４】図３の一部省略横断面図である。
【図５】本発明遊技機の基板収納ケースの突出部の第１の変形例を示す正面図である。
【図６】本発明遊技機の基板収納ケースの架台の第２の変形例を示す正面図である。
【図７】図６のＶＩＩ−ＶＩＩ線断面図である。
【図８】図６のＶＩＩＩ矢視図である。
【図９】図６のＩＸ−ＩＸ線断面図である。
【図１０】本発明遊技機の基板収納ケースの架台の第３の変形例を示す斜視図である。
【符号の説明】
【００７１】
Ｉ パチンコ遊技機
ＩＩ プリペイドカードユニット
１ 遊技盤
３ 遊技領域
２８ 操作用ハンドル
２９ カードリーダ
３０ 可変表示装置
３２ 図柄表示装置
３２ａ 図柄
３２ｂ 図柄
３２ｃ 図柄
３３ 読取口
３５ プリペイドカード
４２ スピーカ
４４ 主制御基板（遊技制御基板）
４６ 基板収納ケース
４７ 側壁
４８ 基板収納ケース上部
５０ 基板収納ケース下部
５１ 側壁
５２ スリット部
５３ 主壁部
５４ Ｈ型放熱用部材（放熱部）
５５ｉ 内壁板
５５ｏ 外壁板
５６ ウェブ部分
５８ 架台（放熱部，突出部，中空体）
５８Ａ 架台
５８Ｂ 架台
５８Ｃ 架台
５９ 雌ねじ（切り溝）
５９Ｂ 雌ねじ
６１ｄ 溝部
６１ｕ 溝部
６２ 中空
６３ｄ， 屈曲部
６３ｕ， 屈曲部
６５ｄ すき間
６５ｕ すき間
６６ 穴
６７ 突起部
７０ 始動入賞口
７５ きざみ
８０ 電飾
９０ 大入賞口
Ｓ ケース内空間部
【図１】
2004000802.tif 000003
【図２】
2004000802.tif 000004
【図３】
2004000802.tif 000005
【図４】
2004000802.tif 000006
【図５】
2004000802.tif 000007
【図６】
2004000802.tif 000008
【図７】
2004000802.tif 000009
【図８】
2004000802.tif 000010
【図９】
2004000802.tif 000011
【図１０】
2004000802.tif 000012
【手続補正書】
【提出日】平成15年10月20日(2003.10.20)
【手続補正１】
【補正対象書類名】特許請求の範囲
【補正対象項目名】全文
【補正方法】変更
【補正の内容】
【特許請求の範囲】
【請求項１】
　遊技機の遊技動作を制御する遊技制御基板を収納する基板収納ケースにおいて、
　この基板収納ケースには、当該基板収納ケース内に収納された遊技制御基板に配設された部品から発生した熱をケース外部に放熱する放熱部であって、
基板収納ケースの一部としてケース内空間部に突出する突出部を設け、この突出部に前記制御基板を当接させて支持するとともに前記突出部は、少なくともその一端側が外気に臨む中空体であることを特徴とする遊技機の基板収納ケース。
【請求項２】
　前記架台の中空部分における内表面には、きざみまたは切り溝が形成されていることを特徴とする請求項１に記載の遊技機の基板収納ケース。
【請求項３】
　前記きざみは、架台の軸方向に対して、平行にまたは斜めに形成されていることを特徴とする請求項２に記載の遊技機の基板収納ケース。
【請求項４】
　前記切り溝は、螺旋状に形成されていることを特徴とする請求項２に記載の遊技機の基板収納ケース。
【請求項５】
　前記きざみおよび切り溝は、前記架台の外表面に形成されていることを特徴とする請求項２〜４のいずれかに記載の遊技機の基板収納ケース。